(57)【要約】【課題】本考案は、担架を軽量化し、かつ担架に柔軟性を持たせて搬出を容易とし、担架を折り畳み可能として収納性を高め、更に、担架に収容ポケットを設けて必需品や非常持ち出し物の持ち出しを容易とすることを目的としている。【解決手段】このため、被搬出者を載置する載置部と搬出用の取っ手部とを有する担架において、載置部を柔軟性材料により形成するとともに、載置部を被搬出部の頭部を載置する頭部載置部と被搬出者の頭部を除く体部分を載置する体載置部と体載置部の下端に設けられる足当て部とにより形成し、体載置部の両側部位に載置部に被搬出者を載置した後に被搬出者の体部分を覆う左右のカバー部を設けるとともに、体載置部の下端部位に載置部に被搬出者を載置した後に被搬出者の脚部を覆う脚部カバー部を設け、頭部載置部と体載置部とに搬出用の取っ手部を設け、カバー部の一部には収容ポケットを設けている。【選択図】図１
0003116129.tif 000002
【実用新案登録請求の範囲】
【請求項１】
被搬出者を載置する載置部と、この載置部に装着される搬出用の取っ手部とを有する担架において、前記載置部を柔軟性材料により形成するとともに、この載置部を、被搬出部の頭部を載置する頭部載置部と、被搬出者の頭部を除く体部分を載置する体載置部と、この体載置部の下端に設けられる足当て部とにより形成し、前記載置部の体載置部の両側部位に、載置部に被搬出者を載置した後にこの被搬出者の体部分を覆う左右のカバー部を設けるとともに、前記載置部の体載置部の下端部位に、載置部に被搬出者を載置した後にこの被搬出者の脚部を覆う脚部カバー部を設け、前記載置部の頭部載置部と体載置部とに搬出用の前記取っ手部を設け、前記カバー部の一部には収容ポケットを設けたことを特徴とする収容ポケットを有する折り畳み可能な担架。
【考案の詳細な説明】
【技術分野】
【０００１】
この考案は収容ポケットを有する折り畳み可能な担架に係り、特に担架を軽量化し、かつ担架に柔軟性を持たせて搬出を容易とし、担架を折り畳み可能として収納性を高め、更に、担架に収容ポケットを設けて必需品や非常持ち出し物の持ち出しを容易とする収容ポケットを有する折り畳み可能な担架に関するものである。
【背景技術】
【０００２】
従来、地震や火災、水害等の災害が発生した際の負傷者や避難者、あるいは急病人を病院や避難所、あるいは搬送車両まで迅速に搬出する際には、人力のみで搬出可能な運版用具として担架を使用する場合がある。
【０００３】
【特許文献１】特開平９−１９２１７２号公報
【特許文献２】特開２００３−３８５７５号公報
【考案の開示】
【考案が解決しようとする課題】
【０００４】
ところで、従来の担架においては、避難者や急病人である被搬出者を搬出する際に、担架の前後部位に２人の搬出者が立ち、２人で被搬出者を乗せた担架を持ち、搬出している。
【０００５】
また、被搬出者の体重によっては、担架の左右両側の少なくとも一側に補助の搬出者が付き、３人以上の搬出者によって搬出する場合もある。
【０００６】
しかし、例えば、災害時に住宅内から担架を使用して被搬出者を搬出する際には、以下の如き不都合がある。
（１）住宅の上層階から下層階へ階段を使用して被搬出者を搬出する場合には、階段によって担架に傾斜ができるため、被搬出者が担架からずり落ちてしまうおそれがあり、被搬出者に不安感を与えてしまう。
（２）住宅の上層階から下層階へ被搬出者を搬出する際に、狭い階段を使用する場合には、担架の形状に柔軟性がないと、階段の幅寸法によって搬出者の人数に制約を受け、搬出距離が長くなると、体力、特に握力の弱い人や女性による搬出作業が困難となる。
（３）担架は、避難者や急病人である被搬出者を搬出する際に使用されるものであるが、被搬出者のメガネや履き物、常備薬等の必需品や非常持ち出し物を入れる収容ポケットが担架にはなく、必需品や非常持ち出し物を持ち出すことが困難となり、実用上不利である。
【０００７】
この考案の目的は、搬出者の増員を可能とするとともに、担架を軽量化し、かつ担架に柔軟性を持たせて搬出を容易とし、担架を折り畳み可能として収納性を高め、更に、担架に収容ポケットを設けて必需品や非常持ち出し物の持ち出しを容易とする収容ポケットを有する折り畳み可能な担架を実現するにある。
【課題を解決するための手段】
【０００８】
そこで、この考案は、上述不都合を除去するために、被搬出者を載置する載置部と、この載置部に装着される搬出用の取っ手部とを有する担架において、前記載置部を柔軟性材料により形成するとともに、この載置部を、被搬出部の頭部を載置する頭部載置部と、被搬出者の頭部を除く体部分を載置する体載置部と、この体載置部の下端に設けられる足当て部とにより形成し、前記載置部の体載置部の両側部位に、載置部に被搬出者を載置した後にこの被搬出者の体部分を覆う左右のカバー部を設けるとともに、前記載置部の体載置部の下端部位に、載置部に被搬出者を載置した後にこの被搬出者の脚部を覆う脚部カバー部を設け、前記載置部の頭部載置部と体載置部とに搬出用の前記取っ手部を設け、前記カバー部の一部には収容ポケットを設けたことを特徴とする。
【考案の効果】
【０００９】
以上詳細に説明した如くこの本考案によれば、被搬出者を載置する載置部と、載置部に装着される搬出用の取っ手部とを有する担架において、載置部を柔軟性材料により形成するとともに、載置部を、被搬出部の頭部を載置する頭部載置部と、被搬出者の頭部を除く体部分を載置する体載置部と、体載置部の下端に設けられる足当て部とにより形成し、載置部の体載置部の両側部位に、載置部に被搬出者を載置した後にこの被搬出者の体部分を覆う左右のカバー部を設けるとともに、載置部の体載置部の下端部位に、載置部に被搬出者を載置した後にこの被搬出者の脚部を覆う脚部カバー部を設け、載置部の頭部載置部と体載置部とに搬出用の取っ手部を設け、カバー部の一部には収容ポケットを設けたので、搬出者の増員を可能とするとともに、担架を軽量化し、かつ担架に柔軟性を持たせて搬出を容易とし、担架を折り畳み可能として収納性を高め、更に、担架に収容ポケットを設けて必需品や非常持ち出し物の持ち出しを容易とし得る。
【考案を実施するための最良の形態】
【００１０】
上述の如く考案したことにより、前記担架を柔軟性材料により形成することによって、搬出者の増員を可能とするとともに、担架を軽量化し、かつ担架に柔軟性を持たせて搬出を容易とし、また、担架に収容ポケットを設けて必需品や非常持ち出し物の持ち出しを容易としている。更に、担架を折り畳み可能として収納性を高めている。
【実施例】
【００１１】
以下図面に基づいてこの考案の実施例を詳細に説明する。
【００１２】
図１及び図２はこの考案の実施例を示すものである。図１において、２は担架である。
【００１３】
この担架２は、図１に示す如く、被搬出者Ａを載置する載置部４と、この載置部４に装着される搬出用の取っ手部６とを有する。
【００１４】
そして、前記載置部４を、柔軟性材料としては布製材料や紙製材料等が考えられるが、この実施例においては、例えば布製材料により形成する。
【００１５】
また、前記載置部４を、図１に示す如く、被搬出部Ａの頭部Ａ−１を載置する頭部載置部８と、被搬出者Ａの頭部Ａ−１を除く体部分（図示せず）を載置する体載置部１０と、この体載置部１０の下端に設けられる足当て部１２とにより形成する。
【００１６】
このとき、足当て部１２としては、前記載置部４に被搬出部Ａを載置した際に、被搬出部Ａのずれを防止できる機能を有するものであればよく、木製材料や樹脂製材料により形成することが可能である。
【００１７】
更に、前記載置部４の体載置部１０の両側部位には、図１に示す如く、載置部４に被搬出者Ａを載置した後にこの被搬出者Ａの体部分を覆う左右のカバー部、つまり左側第１カバー部１４と右側第２カバー部１６とを設ける。
【００１８】
このとき、これらの左右側第１、第２カバー部１４、１６としては、載置部４に被搬出者Ａを載置した後にこの被搬出者Ａの体部分を覆うことのできるものであればよく、前記載置部４を形成する柔軟性材料、つまり、布製材料や紙製材料等が考えられるが、樹脂製材料を使用することが可能であるとともに、被搬出者Ａの重量が作用しないため、前記載置部４を形成する柔軟性材料に対して、強度の低い、つまり安価なものを使用することができるものである。
【００１９】
更にまた、前記載置部４の体載置部１０の下端部位に、図１に示す如く、載置部４に被搬出者Ａを載置した後にこの被搬出者Ａの脚部（図示せず）を覆う脚部カバー部１８を設ける。
【００２０】
このとき、この脚部カバー部１８においても、上述した左右側第１、第２カバー部１４、１６と同様に、載置部４に被搬出者Ａを載置した後にこの被搬出者Ａの脚部を覆うことのできるものであればよく、前記載置部４を形成する柔軟性材料、つまり、布製材料や紙製材料等が考えられるが、樹脂製材料を使用することが可能であるとともに、被搬出者Ａの重量が作用しないため、前記載置部４を形成する柔軟性材料に対して、強度の低い、つまり安価なものを使用することができる。
【００２１】
なお、前記脚部カバー部１８には、載置部４に被搬出者Ａを載置しこの被搬出者Ａの脚部を覆った後に、脚部カバー部１８のズレを防止するために、剥離容易なテープ部材からなるズレ防止部１８−１を設けることも可能である。
【００２２】
また、前記載置部４の頭部載置部８と体載置部１０とに搬出用の前記取っ手部６を設ける。
【００２３】
この取っ手部６は、図１に示す如く、前記載置部４の頭部載置部８に装着され、前側（図１において上方）に突出する２本の第１取っ手部６−１と、前記載置部４の体載置部１０の前部（図１において上部）に装着され、左右側に突出する２本の第２取っ手部６−２と、前記載置部４の体載置部１０の後部（図１において下部）に装着され、左右側に突出する２本の第３取っ手部６−３とからなる。
【００２４】
このとき、取っ手部６としては、木製や樹脂製からなる棒状あるいは筒状部材が考えられるが、先端をループ形状とした紐状部材とすることも可能である。
【００２５】
そして、前記載置部４の頭部載置部８に取っ手部６の第１取っ手部６−１を装着する際に、第１取っ手部６−１を棒状あるいは筒状部材とする場合には、公知の固定ボルトや鈎状係合具を使用することができ、第１取っ手部６−１を紐状部材とする場合には、縫合等の方策を使用することができる。
【００２６】
前記載置部４の体載置部１０に取っ手部６の第２、第３取っ手部６−２、６−３を装着する際に、第２、第３取っ手部６−２、６−３を棒状あるいは筒状部材とする場合には、公知の固定ボルトや鈎状係合具を使用する以外にも、体載置部１０に予めループ状貫通係合部（図示せず）を形成しておき、このループ状貫通係合部に棒状あるいは筒状部材からなる第２、第３取っ手部６−２、６−３を貫通させて装着することも可能である。
【００２７】
また、前記載置部４の体載置部１０に取っ手部６の第２、第３取っ手部６−２、６−３を装着する際に、第２、第３取っ手部６−２、６−３を紐状部材とする場合には、上述した第１取っ手部６−１と同様に、縫合等の方策を使用することができる。
【００２８】
そしてこのとき、前記カバー部、つまり左側第１カバー部１４と右側第２カバー部１６との一部には、収容ポケット２０を設ける構成とする。
【００２９】
詳述すれば、収容ポケット２０を、例えば図１に示す如く、左側第１カバー部１４の内側面の中央部位に形成する。
【００３０】
この収容ポケット２０を形成する際には、図１に示す如く、左側第１カバー部１４の内側面の中央部位に他部材を縫合や接着等の装着方策を使用して形成することが可能であるとともに、このとき他部材を透明材料とすれば、前記収容ポケット２０内に収容される被搬出者Ａのメガネや履き物、常備薬等の必需品や非常持ち出し物を目視可能である。
【００３１】
また、前記左側第１カバー部１４が内部空間を有する構造である場合には、内部空間に収容ポケット２０を形成することも可能である。
【００３２】
そして、前記収容ポケット２０を形成した際には、図１に示す如く、開閉部２２を設ける。
【００３３】
この開閉部２２には、剥離容易なテープ部材やチャック等の開閉機能を有するものを使用することが可能である。
【００３４】
更に、前記載置部４の頭部載置部８において、上述したように取っ手部６の第１取っ手部６−１を装着するのみでなく、首掛け紐２４をも装着する。
【００３５】
更にまた、前記載置部４の体載置部１０には、載置部４被搬出者Ａを載置し被搬出者Ａの体部分を左右側第１、第２カバー部１４、１６と脚部カバー部１８とで覆った後に、
被搬出者Ａの載置状態を安定させるための固定紐２６を設ける。
【００３６】
この固定紐２６としては、前記載置部４の体載置部１０に固着して形成、あるいは別体に形成することが可能であるとともに、通常の紐状部材を使用するのみでなく、帯状、つまりベルト状部材や鎖状部材等の被搬出者Ａの載置状態を安定させるためのズレ防止機能を有するものであれば、使用可能である。
【００３７】
なお、符号Ｂ１は、前記取っ手部６の第１取っ手部６−１を持つ第１搬出者、Ｂ２は、前記取っ手部６の第２取っ手部６−２の左側（図１及び図２において左側）を持つ第２搬出者、Ｂ３は、前記取っ手部６の第２取っ手部６−２の右側（図１及び図２において右側）を持つ第３搬出者、Ｂ４は、前記取っ手部６の第３取っ手部６−３の左側（図１及び図２において左側）を持つ第４搬出者、Ｂ５は、前記取っ手部６の第３取っ手部６−３の右側（図１及び図２において右側）を持つ第５搬出者である。
【００３８】
次に作用を説明する。
【００３９】
前記担架２によって被搬出者Ａを搬出する際には、先ず、担架２の前記載置部４に被搬出者Ａを載置する。
【００４０】
つまり、前記載置部４の頭部載置部８に被搬出者Ａの頭部Ａ−１を載置するとともに、前記載置部４の体載置部１０に被搬出者Ａの体部分を載置する。
【００４１】
このとき、被搬出者Ａの脚部を足当て部１２に接触させる。
【００４２】
そして、被搬出者Ａの要望に応じて、左側第１カバー部１４の内側面の中央部位に形成した前記収容ポケット２０内に、被搬出者Ａのメガネや履き物、常備薬等の必需品や非常持ち出し物を収容する。
【００４３】
その後、被搬出者Ａの脚部を前記脚部カバー部１８によって覆うとともに、被搬出者Ａの頭部Ａ−１を除く体部分を前記左右側第１、第２カバー部１４、１６を積層する状態として覆う。
【００４４】
このとき、前記被搬出者Ａの体部分、特に背中部分や腰部分に、前記載置部４の柔軟性材料からなる体載置部１０が密着し、被搬出者Ａの体部分の体勢を固定している。
【００４５】
また、被搬出者Ａを前記載置部４に載置し、左右側第１、第２カバー部１４、１６及び脚部カバー部１８によって覆った後には、脚部カバー部１８に設けたズレ防止部１６−１を使用して、脚部カバー部１８のズレ防止を図るとともに、前記固定紐２６を使用して被搬出者Ａの載置状態を安定させる。
【００４６】
そして、第１搬出者Ｂ１は前記取っ手部６の第１取っ手部６−１を持つとともに、首掛け紐２６を首に掛け、第２搬出者Ｂ２は前記取っ手部６の第２取っ手部６−２の左側（図１及び図２において左側）を持ち、第３搬出者Ｂ３は前記取っ手部６の第２取っ手部６−２の右側（図１及び図２において右側）を持ち、第４搬出者Ｂ４は前記取っ手部６の第３取っ手部６−３の左側（図１及び図２において左側）を持つとともに、第５搬出者Ｂ５は前記取っ手部６の第３取っ手部６−３の右側（図１及び図２において右側）を持ち、図２に示す如く、５人の第１〜第５搬出者Ｂ１〜Ｂ５によって前記担架２を持ち上げ、所定の場所まで被搬出者Ａの搬出を行う。
【００４７】
更に、前記担架２の不使用時には、前記取っ手部６の第２及び第３取っ手部６−２、６−３を折り畳み中心となるように前記載置部４の体載置部１０を折り畳むことが可能である。
【００４８】
これにより、前記載置部４を形成する柔軟性材料により形成したことによって、前記担架２を軽量化することができるとともに、担架２に柔軟性を持たせることができ、前記被搬出者Ａの体部分、特に背中部分や腰部分に、前記載置部４の柔軟性材料からなる体載置部１０を密着させて被搬出者Ａの体部分の体勢を固定でき、例えば、住宅の上層階から下層階へ被搬出者を搬出する際に、狭い階段を使用する場合でも、担架２の形状に柔軟性があるため、階段の幅寸法によって搬出者の人数に制約を受け難いとともに、被搬出者Ａの体部分の体勢を固定できるため、被搬出者Ａに安心感を与えつつ搬出でき、しかも、柔軟性によって逆に増員すること可能であるため、搬出距離が長くなっても、体力、特に握力の弱い人や女性による搬出作業も容易である。
【００４９】
また、前記担架２の不使用時には、担架２を小さく折り畳むことができ、狭い収納スペースに担架２を収納しておくことが可能となり、収納性を向上させることができる。
【００５０】
更に、前記左右側第１、第２カバー部１４、１６を形成する際に、前記載置部４を形成する柔軟性材料に対して、強度の低い、つまり安価なものを使用すれば、より一層の軽量化を図ることができるとともに、前記担架２のコストを低減することもできる。
【００５１】
更にまた、前記カバー部、つまり左側第１カバー部１４と右側第２カバー部１６との一部、例えば、左側第１カバー部１４の内側面の中央部位に収容ポケット２０を設けたことにより、収容ポケット２０内に被搬出者Ａのメガネや履き物、常備薬等の必需品や非常持ち出し物を収容して持ち出すことができ、担架２の使い勝手を向上し得る。
【００５２】
また、前記収容ポケット２０を形成する際に、左側第１カバー部１４の内側面の中央部位に他部材を縫合や接着等の装着方策を使用して形成し、かつ、他部材を透明材料とすれば、前記収容ポケット２０内に収容される被搬出者Ａのメガネや履き物、常備薬等の必需品や非常持ち出し物を目視可能である。
【００５３】
更に、前記担架２の体載置部１０の下端に足当て部１２を設けたことにより、担架２に被搬出者Ａを載置した際に、被搬出者Ａの脚部、特に足の裏が足当て部１２に接触するため、搬出時に被搬出部Ａのずれを防止することができ、不必要に担架２上の被搬出者Ａの重心位置が移動せず、搬出作業が容易であるとともに、被搬出者Ａが担架２からずり落ちてしまうおそれがないため、搬出時の被搬出者Ａに安心感を与えることもできる。
【００５４】
更にまた、前記担架２の全体形状を簡易袋状とすることができることにより、搬出時の被搬出者Ａにより一層安心感を与えることができ、実用上有利である。
【図面の簡単な説明】
【００５５】
【図１】この考案の実施例を示す収容ポケットを有する折り畳み可能な担架の平面図である。
【図２】担架に被搬出者Ａの載置し、固定紐２６にて被搬出者Ａの載置状態を安定させた後に、第１〜第５搬出者Ｂ１〜Ｂ５が取っ手部６の第１〜第３取っ手部６−１〜６−３を夫々持った状態の平面図である。
【符号の説明】
【００５６】
２  担架
４  載置部
６  搬出用の取っ手部
６−１第１取っ手部
６−２  第２取っ手部
６−３  第３取っ手部
８  頭部載置部
１０  体載置部
１２  足当て部
１４  左側第１カバー部
１６  右側第２カバー部
１８  脚部カバー部
１８−１  ズレ防止部
２０  収容ポケット
２２  開閉部
２４  首掛け紐
２６  固定紐
Ａ  被搬出者
Ａ−１  頭部
Ｂ１  第１搬出者
Ｂ２  第２搬出者
Ｂ３  第３搬出者
Ｂ４  第４搬出者
Ｂ５  第５搬出者
【図１】
0003116129.tif 000003
【図２】
0003116129.tif 000004